(57)【特許請求の範囲】
【請求項１】
スパウト付きパウチのスパウトを保護する額縁部と尻シール部部位を押圧する押圧部とを有し、トップオープン式の被せ蓋部を有する箱本体である収納箱において；
貼着片を対設した内側長壁部及び内側短壁部を底部四周辺に有する長方形状とした箱本体には、前記内側短壁部上縁のそれぞれに、折目を経て上側板、縁板、内折板、貼着板及び凹み形成用切込みとからなる下向きコ状に形成した額縁部、及び傾斜面となる押圧板両側に折目を経て一対の押圧保持片を有する押圧部を延設し、また前記箱本体の一方の内側長壁部に該箱本体と同形の被せ蓋部を連設し、該被せ蓋部のほぼ中央に設けた窓部の開封片を有する開口縁から被せ蓋部の隅角部位に向けて対角切断部を刻設し、しかも該隅角部位から連続して、隣り合う内側の長、短側壁部の衝合部位に位置する前記貼着片の折目に解体用切断部を設けてなることを特徴とするスパウト付きパウチ収納箱。
【請求項２】
前記窓部の開口縁に内方に向け突出する開封片を対設してなることを特徴とする請求項１記載のスパウト付きパウチ収納箱。
【請求項３】
前記箱本体底部の中央部位に折曲用の罫線を付設してなることを特徴とする請求項１または２記載のスパウト付きパウチ収納箱。
【発明の詳細な説明】
【０００１】
【発明の属する技術分野】
本発明は、スパウト付きパウチ包装材を収納するに適した紙箱の改良に関するものである。
【０００２】
【従来の技術】
従来、液体充填のパウチ包装材（Ｐｏｕｃｈ  ｐａｃｋａｇｉｎｇ）について、それを誤って落下させたり、意図しない衝撃によって破袋するのを防ぐため、断面コ字状の紙製トレーに収納後、収縮包装（Ｓｈｒｉｎｋ  ｐａｃｋａｇｉｎｇ）を行うなり、あるいは汎用の紙箱に単に収納していたが、耐衝撃性または易開封性の点で十分にその効果を期待することができなかった。
【０００３】
本発明に言うパウチ包装材とは、一般によく知られているようにバリヤー性のある柔軟包装材料を三方シールし、またはサイドシールすることによって製造された包装材を指している。
前記パウチ包装材は、現在、一般的な家庭生活においてレトルトパウチ食品を通じよく知られているが、病、医院などの医療機関においては、静脈内への輸液（輸液剤）の点滴（点滴注射）が行われており、最近ではプラスチック製の輸液セットに輸液瓶またはスパウト付きパウチ包装材をつないだ装置が用いられている。
【０００４】
前記点滴とは、具体的には治療のため腸からの吸収を止めたいときなどの場合に、必要とする全カロリーを補うため、中心静脈栄養（高カロリー輸液とも称される。）、すなわち血管内に挿入した管を経て栄養液を注入することを意味している。
この点滴は、注射薬一般と同様に、無菌性の保持、異物混入の防止など安全性の確保が必要不可欠であるから、医療機関向けの輸液剤（電解質輸液剤、栄養輸液剤）を収納した、スパウト（ｓｐｏｕｔ。いわゆる飲み口。樋口〔ひぐち〕。出口）を有するパウチ包装材においては、スパウトの破損防止、輸送保管時のパウチ包装材の破袋防止、更には該包装材の取出し易さはきわめて重要な要素である。
【０００５】
そのため、特開昭５６−４１１６３号公報（液体用容器）には、袋体に凸設されている注出口を突出させうるＵ字状切欠部を箱形蓋体及び箱形容体の各側片であって、互いに合致可能な位置に形成し、輸送、貯蔵時には前記切欠部が対称位置となるよう被せ、前記注出口を箱形容体に収納し、使用時には前記切欠部を合致させて前記注出口を顕出させる技術が開示されている。
また特開平１−１９９８７２号公報（容器の保護包装体）には、薬液などが封入されているソフトバッグなどの容器及びそのガスバリアー性包材の輸送などにおける振動及びショックなどによる破損防止の技術が開示されている。
【０００６】
しかしながら、前者の技術は、具体的に言及しているような小脇にかかえて持ち運びする場合、横向きにすれば、箱形容体内の袋体はそのつま（褄）面方向（袋体の左右両端いずれかの方向）に押し下げられ歪形するし、誤って倒立させれば注出口は箱形容体内部で擦過し衝撃を受けるおそれがあると認められる。
また後者の技術は、容器の保護包装体、ガスバリアー性包材、ソフトバッグからなり、しかもダンボール箱内への箱詰めを予定しているので過大包装を招き、易開封性、使用済包装材の廃棄容易性ないしはゴミ減量化の要請には対応できないものである。
【０００７】
そのため、耐衝撃性、緩衝効果並びに保護機能の向上について配慮することによって、輸送、保管時におけるパウチ包装材の破袋あるいはスパウトの破損を防止し、易開封性を追及してパウチ包装材の取出し易さをもたらすこと、更には減容化、すなわち風袋の減少化を導くことによって収納箱の廃棄容易性を発揮させるなどの要請を満足した解決策の提案はいまだなかった。
【０００８】
【発明が解決しようとする課題】
本発明は、前記したスパウト付きパウチ収納箱について求められている前記技術的課題を解決することを目的とするものである。
【０００９】
【課題を解決するための手段】
前記目的を達成するため、本発明に係るスパウト付きパウチ収納箱の具体的手段としては、スパウト付きパウチのスパウトを保護する額縁部と尻シール部部位を押圧する押圧部とを有し、トップオープン式の被せ蓋部を有する箱本体である収納箱において、貼着片を対設した内側長壁部及び内側短壁部を底部四周辺に有する長方形状とした箱本体には、前記内側短壁部上縁のそれぞれに、折目を経て上側板、縁板、内折板、貼着板及び凹み形成用切込みとからなる下向きコ状に形成した額縁部、及び傾斜面となる押圧板両側に折目を経て一対の押圧保持片を有する押圧部を延設し、また前記箱本体の一方の内側長壁部に該箱本体と同形の被せ蓋部を連設し、該被せ蓋部のほぼ中央に設けた窓部の開封片を有する開口縁から被せ蓋部の隅角部位に向けて対角切断部を刻設し、しかも該隅角部位から連続して、隣り合う内側の長、短側壁部の衝合部位に位置する前記貼着片の折目に解体用切断部を設けてなるものである。
また、前記窓部の開口縁に内方に向け突出する開封片を対設することもよい。
更に、前記箱本体底部の中央部位に折曲用の罫線を付設することも好ましい。
【００１０】
【発明の実施の形態】
以下に、本発明の最良の結果をもたらす実施の形態を図面に従い説明すると、図１は展開説明図、図２はパウチの図示を省略した組立後の斜視図、図３はパウチを内装した状態であって図２のＩＩＩ−ＩＩＩ線を縦断した一部省略概要説明図、図４は収納箱の解体途中であってパウチ取出し直前の説明図、図５は収納箱を解体し平坦状に展開した状態を示す説明図である。
【００１１】
輸液剤のごとき液体を充填したスパウト付きパウチ包装材（以下、単にパウチという。）を対象とした収納箱において、図面上、Ａは箱本体、Ｂは被せ蓋部、Ｐはパウチを例示したものである。
本発明の説明上例示した箱本体Ａは、長方形状の底部３の四周辺について、長手方向には内側長壁部１Ａ，１Ｂを、また短手方向には内側短壁部２Ａ，２Ｂをそれぞれ折目７を介して連設し、かつ一方の前記内側長壁部１Ａ上縁に折目７を介して前記被せ蓋部Ｂを連設している。
【００１２】
４は額縁部であり、それは一方の前記内側短壁部２Ａ上縁に折目７を介し上側板１１、縁板１２、内折板１３、貼着板１４及び凹み形成用切込み１５とからなり、全体的には下向きコ状に形成される。
５は押圧部であり、該押圧部５は他方の前記内側短壁部２Ｂ上縁に、折目７を介して延設し、一対の押圧保持片２２、例えば三角片を折目７により起立可能のもとに傾斜面となる押圧板２１の両側に設けてある。
なお、図中、１７は解体後の箱本体を更に二つ折りして嵩（かさ）を少なくする場合に利用される罫線を示したものである。
また１８はスパウトＳが左右に移動しすぎた際の緩衝部となる折目を経て内側に折曲される補助片である。
【００１３】
被せ蓋部Ｂは、そのほぼ中央に窓部３１を設け、該窓部３１の開口縁３２から被せ蓋部Ｂの隅角部位に向けて対角切断部３３を刻設してある。
被せ蓋部Ｂの形態は、図示例のごとく公知の内側長壁部１Ｂと当接する前面部３５、内側短壁部２Ａ，２Ｂと当接する側面部３６，３７とすることが好ましいが、該形態に限定されるものではない。
被せ蓋部Ｂ四辺の折目７には弱化線を図示してあるが、それは具体的には断続スリット、半切れスリットなどが施されることによって、折目形成の正確性、作業性の向上に役立つものである。従って、本発明の実施上、公知の細かな連続状のミシン目を採用することも差し支えない。
【００１４】
前記対角切断部３３はＹ字状切込みを連続刻設したものであるが、それ自体は実公昭４３−９９号公報（切取式開封装置）に「横Ｙ字型状の切込みＢ」として、また実開昭５５−１４５４２５号公報（包装箱）に「Ｙ字状の切り込み線８」としてそれぞれ開示され公知のものである。
本発明の特徴としては、対角切断部３３が、隣り合う内側長、短壁部１Ａ，１Ｂ，２Ａ，２Ｂの衝合部位、すなわち付き合わさる隅角部位に位置する貼着片１６に設けた解体用切断部６と連続していることにある。
本発明の構成上、押圧保持片２２は、図示のとおり、押圧板２１の折目７に対し反対側を外向き斜状に突設した形状とすることがよく、押圧保持片２２の上縁が閉蓋時において被せ蓋部Ｂの裏面により押圧が保持される。
【００１５】
本発明のスパウト付きパウチ収納箱は、通常の組立て箱において実施されているように、ブランクの状態でパウチを内装する充填工場などに運ばれ、製函機などによって自動的に組立てられ、組立ての途中でパウチが内装され商品として完成されるものである。
従って、パウチＰが内装される際にはパウチＰのスパウトＳ側をまず額縁部４の凹み形成用切込み１５に緩挿して、パウチＰの両側肩部を前記切込み１５により二つに分断された縁板１２に当接させ、パウチＰの尻シール部Ｒ後端部位を内側短壁部２Ｂに、またパウチＰのつま（褄）両側を内側長壁部１Ａ、１Ｂに均等に正しくそれぞれ当接させ、しかも尻シール部Ｒには押圧板２１前端部分を当てがい、スパウトＳ前部は内側短壁部２Ａ内面との間に隙間Ｋを形成することによって、押圧部５の押圧及び額縁部４との相乗効果によりパウチＰの移動が確実に抑制される（図３）。
【００１６】
本発明の収納箱の開封要領は、図４に示すとおり、まず、開口縁３２の各開封片３４を把握して隅角部位に向けて形成した対角切断部３３によって一気に左右外方向に開封すれば、一応、パウチが取出せる状態となる。引き続き開封すると、被せ蓋部Ｂの隅角部位を経て連続する内側長、短壁部１Ａ，１Ｂ，２Ａ，２Ｂの解体用切断部６終端まで切除され、収納箱自体は平坦状に展開した状態を呈する（図５）。
かくしてから、パウチＰを容易に取出した後、前記展開状態のままコンパクトに同種の収納箱とともに積層し一括される。必要により、底部３の罫線１７を利用し更に二つ折りすることも可能である。
【００１７】
【発明の効果】
以上のとおりの構成を有する本発明によれば、以下の効果をもたらすものである。
すなわち、請求項１の本発明によれば、第１に、パウチＰのスパウトＳ側を額縁部４で保護するため、該スパウトＳの破損を防止できる。
第２に、パウチＰの尻シール部Ｒを押圧部５で押圧するため、額縁部４とともに箱内でのパウチＰの移動を抑制して破袋や破損を防止できる。
第３に、押圧板２１を内側に折り込んだ後、両側端に設けた一対の押圧保持片２２を上方に屈曲させた状態で被せ蓋部Ｂを閉めると、被せ蓋部Ｂの内面と前記三角形状の押圧保持片２２が当接して押圧板２１を常に下方に追いやる力が働くため、押圧板２１の先端によるパウチＰの尻シール部Ｒへの押圧が継続保持される。
第４に、箱本体Ａの内側長壁部１Ａ，１Ｂに連設された貼着片１６の折目には、予め解体用切断部６が施されているため、開封片３４による開封後、さらに左右に開き続けると、箱本体Ａの四隅が切断されて矩形の箱を平らにできるため嵩ばらず、箱の回収・廃棄などの処理が簡便に行える。
【００１８】
請求項２の本発明によれば、請求項１の本発明の効果に加えて、開封片３４の両側から被せ蓋部Ｂの隅角部位に延びる対角切断部３３により、ワンモーション（一動作）で開封が可能となる。また、被せ蓋部Ｂ中央に設けた窓部３１で内装のパウチＰが確認でき、開封片３４が窓部３１側に突出しているので摘まみ易い。
【００１９】
請求項３の本発明によれば、請求項１または２の本発明の効果に加えて、底板３のほぼ中央に設けた罫線１７により、前記第４の作業で平坦化された扁平な箱本体Ａを二つ折りすることができるため、更に減容化が可能となる。
【図面の簡単な説明】
【図１】展開説明図
【図２】パウチの図示を省略した組立後の斜視図
【図３】パウチを内装した状態であって図２のＩＩＩ−ＩＩＩ線を縦断した一部省略概要説明図
【図４】収納箱の解体途中の説明図
【図５】収納箱を解体し平坦状に展開した状態を示す説明図
【符号の説明】
Ａ    箱本体
１Ａ，１Ｂ    内側長壁部
２Ａ，２Ｂ    内側短壁部
３    底部
４    額縁部
１１    上側板
１２    縁板
１３    内折板
１４    貼着板
１５    凹み形成用切込み
１６    貼着片
１７    罫線
１８    補助片
５    押圧部
２１    押圧板
２２  押圧保持片
６    解体用切断部
７    折目
Ｂ    被せ蓋部
３１    窓部
３２    開口縁
３３    対角切断部
３４    開封片
３５    前面部
３６，３７    側面部
Ｐ    パウチ
Ｓ    スパウト
Ｒ    尻シール部
Ｋ    隙間
【図１】
0004060940.tif 000002
【図２】
0004060940.tif 000003
【図３】
0004060940.tif 000004
【図４】
0004060940.tif 000005
【図５】
0004060940.tif 000006